(57)【要約】【課題】  電子ペーパーＥＰに表示保持されたドキュメントのユーザによる利用を検出して、当該利用検出に応じた更新処理を行うことにより、電子ペーパーＥＰによるドキュメント利用をより快適にする。【解決手段】  ドキュメント画像を表示部２に無電源状態で表示保持する電子ペーパーＥＰであって、センサ７で電子ペーパーＥＰへのユーザの接触を検知し、当該検知に応じて、更新処理手段８が表示部２に表示保持しているドキュメント画像を消去や他のドキュメントに切り換える等の更新処理を行う。すなわち、ユーザの接触を検知することで電子ペーパーＥＰに表示保持されたドキュメントが閲覧されたことを擬似的に検知して、利用状況に応じて、更新処理を行う。【選択図】  図１
2005267188.tif 000002
【特許請求の範囲】
【請求項１】
ドキュメント画像を表示部に無電源状態で表示保持する電子ペーパーであって、
ユーザの接触を検知するセンサと、
前記センサで接触を検知することに応じて、前記表示部に表示保持しているドキュメント画像の更新処理を行う更新処理手段と、を有することを特徴とする電子ペーパー。
【請求項２】
請求項１に記載の電子ペーパーにおいて、
前記更新処理手段は、前記表示部に表示保持しているドキュメント画像を消去することを特徴とする電子ペーパー。
【請求項３】
請求項１に記載の電子ペーパーにおいて、
ドキュメント電子データを記憶するメモリを有し、
前記更新処理手段は、前記表示部に表示保持しているドキュメント画像を他のドキュメント画像に切換えることを特徴とする電子ペーパー。
【請求項４】
ドキュメント画像を表示部に無電源状態で表示保持する電子ペーパーであって、
ユーザの接触を検知するセンサと、
前記センサで検知される接触を履歴として記録する履歴記録手段と、を有することを特徴とする電子ペーパー。
【請求項５】
請求項４に記載の電子ペーパーにおいて、
前記履歴記録手段に記録された履歴を前記表示部に表示出力する出力手段を有することを特徴とする電子ペーパー。
【請求項６】
請求項４に記載の電子ペーパーにおいて、
前記履歴記録手段に記録された履歴を外部の管理装置へ出力する出力手段を有することを特徴とする電子ペーパー。
【発明の詳細な説明】
【技術分野】
【０００１】
本発明は、表示部にドキュメント画像を無電源状態で表示保持する柔軟で薄型の電子ペーパーに関し、特に、ユーザが電子ペーパーに表示保持されているドキュメントを閲覧した状態を擬似的に検出して表示画像の更新や当該閲覧を履歴管理する技術に関する。
【背景技術】
【０００２】
パーソナルコンピュータ等を利用して、画像やテキスト等の様々なメディアの電子データを扱って、ドキュメントの作成、編集、閲覧等がなされている。
このような電子データ化されているドキュメントの編集は、ドキュメント編集装置としてのコンピュータのディスプレイ画面にドキュメントの画像を表示し、マウスやキーボード等からのユーザ操作入力に従って表示ドキュメントの電子データを編集することにより行われる。
【０００３】
近年では、紙媒体である用紙にとって代わることが可能なドキュメント閲覧のための媒体として、用紙の如く柔軟な薄型でドキュメント画像を表示部に無電源状態で表示保持することができる電子ペーパーが開発されている。例えば、ドキュメント画像を表示保持した電子ペーパーを、机の上に複数並べて閲覧したり、手に持って閲覧したり、複数のユーザ間で回覧にて閲覧したり、重ねたり束ねたり他人に手渡ししたりといった人間の日常的な環境における自然な行動の中でストレスなく電子データで構成されたドキュメントを閲覧利用することが可能となる。
【０００４】
電子ペーパーは、無電源状態でドキュメント画像を表示保持する表示部を有した装置であり、その表示部へのドキュメント画像の書き込み形式で大別すると、電子データに基づいて自己でドキュメント画像を表示部に書き込む機能を有する自己書き込み型電子ペーパーと、外部の装置からエネルギーを表示部に与えて、ドキュメント画像を形成し、保持する電子ペーパーとがある。さらに後者の方式には、熱刺激を表示層に接触印加する感熱リライタブル媒体や、光学的なパターンとして投影されたドキュメント画像を表示部に保持する光書き込み型電子ペーパーとがある。
このような電子ペーパーは、用紙と異なって表示部に表示保持したドキュメント画像を消去したり上書きすることが可能であり、表示保持する情報を更新したり、繰り返し使用することができるので紙資源の節約等の観点からも利用促進が望まれている。
【発明の開示】
【発明が解決しようとする課題】
【０００５】
しかしながら、従来の電子ペーパーにあっては、ドキュメントの閲覧媒体として用紙と同様に、表示保持したドキュメントがユーザにより利用されているか或いはどの程度利用されているかといったことを把握し管理することができないという課題があった。例えば、ドキュメントをパーソナルコンピュータを用いて閲覧する場合には、コンピュータシステムにより当該ドキュメント電子データにユーザがアクセスしたことを検出し、ドキュメントの閲覧履歴を管理することが可能であるが、ユーザの手元に渡った電子ペーパーに対してこのような利用状況を把握管理することはできなかった。
【０００６】
本発明は、上記従来の事情に鑑みなされたもので、電子ペーパーに表示保持されたドキュメントのユーザによる利用を検出して、当該利用検出に応じた処理を実行する機能を備えることにより、電子ペーパーによるドキュメント利用をより快適にすることを目的としている。
【課題を解決するための手段】
【０００７】
本発明は、ドキュメント画像を表示部に無電源状態で表示保持する電子ペーパーであって、
ユーザの接触を検知するセンサと、センサで接触を検知することに応じて表示部に表示保持しているドキュメント画像の更新処理を行う更新処理手段と、を有している。
媒体に表示保持されたドキュメントを閲覧する場合、人間の自然な行動としては媒体に手を触れたり媒体を手に取ったりといったことがなされるため、センサによりユーザの接触を検知することで電子ペーパーに表示保持されたドキュメントが閲覧されたことを擬似的に検知する。そして、検知される利用状況（例えば、利用される毎、利用頻度、ある期間における利用の有無等）に応じて、更新処理手段が、表示部に表示保持しているドキュメント画像の更新処理（例えば、消去、表示ドキュメントを他のドキュメントに切り換える、表示ドキュメントの背景色を変更する等）を行う。
【０００８】
より具体的には、例えば、ユーザが一回でも閲覧したときには表示保持しているドキュメント画像を消去して当該ドキュメントのセキュリティーを保持する、ある期間やある回数で表示保持しているドキュメント画像を消去したり他のドキュメントに表示切換したりする場合に閲覧頻度の高いドキュメント画像は消去や表示切換の更新を行わない、ある期間で表示保持しているドキュメント画像を消去したり他のドキュメントに表示切換したりする場合に閲覧頻度の低いドキュメント画像は消去や表示切換の更新を早めに行う、ユーザによる閲覧がある期間途絶えたときにはドキュメント画像を消去したり他のドキュメントに表示切換したりすることができる。また、例えば、ユーザが自己の識別情報を入力するための手段や接触したユーザを識別するための指紋センサを電子ペーパーに設け、所定の複数のユーザによる接触を検出したときには表示保持しているドキュメント画像を消去等して、これらユーザ間でのドキュメントの回覧が終了するとドキュメント画像が更新されるようにすることもできる。
したがって、電子ペーパーに表示保持するドキュメントを、閲覧したので更新する又は閲覧していないので更新するといったようにユーザに利用状況に応じて更新することができる。
【０００９】
また、本発明は、ドキュメント画像を表示部に無電源状態で表示保持する電子ペーパーであって、ユーザの接触を検知するセンサと、センサで検知される接触を履歴として記録する履歴記録手段と、を有している。
センサによりユーザの接触を検知することで電子ペーパーに表示保持されたドキュメントが閲覧されたことを擬似的に検知し、ユーザによる利用状況を履歴記録手段が履歴として記録する。
【００１０】
そして、例えば、記録された履歴を電子ペーパーの表示部に表示出力したり、コンピュータ等の外部管理装置へ出力して、ユーザによるドキュメントの利用状況の管理に供する。
なお、履歴記録手段が、例えば、カウンタ機能及びタイマ機能により履歴を記録するようにすればユーザのドキュメント利用状況を時系列に管理したり利用状況を利用頻度として管理したりすることができる。
【発明の効果】
【００１１】
本発明によると、電子ペーパーにユーザが接触したことを検出してユーザによるドキュメントの利用を検出するようにしたため、ユーザの手元に渡った電子ペーパーに対して利用状況を把握管理することができ、電子ペーパーに表示保持されたドキュメントのユーザによる利用状況に応じた処理を実行することがきる。
【発明を実施するための最良の形態】
【００１２】
本発明を実施例に基づいて具体的に説明する。
まず、本発明に用いられる電子ペーパーＥＰについて、図４〜図１０に示す例を参照して具体的に説明する。
電子ペーパーＥＰには、表示情報の記録方式に違いにより大別して、外部の書き込み装置からエネルギーを表示媒体に与えて、表示部にドキュメント画像を形成し、保持するタイプのものと、電子データに基づいて自己でドキュメント画像を表示部に書き込む機能を有する自己書き込み型電子ペーパーがある。図４〜図７に示す光書き込み型電子ペーパーは前者の例であり、また、図８〜図１０に示す帯電した２色の着色粒子を電界で飛翔制御させる表示粒子は、後者の例である。そして、上記いずれの形式にあっても電子ペーパーと称せられるように紙の様に薄型で柔軟性を有する装置である。
なお、下記に説明する電子ペーパーＥＰの通信機能や表示切換機能等の諸機能は、図１及び図２を参照して説明する本発明を実施する態様に応じて取捨選択して電子ペーパーＥＰに備えればよい。
【００１３】
図４（ａ）には光書き込み型電子ペーパーＥＰを正面視して示し、同図（ｂ）には当該光書き込み型電子ペーパーＥＰを側面視で示してある。なお、図示の電子ペーパーＥＰはドキュメント画像を表示保持する表示部２と電子データの処理を司る処理部３とを有しており、同図（ａ）には処理部３に内蔵されている諸機能部も表してある。
光書き込み型電子ペーパーＥＰは、例えばＡ４版の用紙のような大きさのフレキシブルな薄型であり、大部分の面積を占める表示部２にドキュメント画像を無電源状態で表示保持する。なお、表示部２の大きさは任意であり、また、表示部２と処理部３とを着脱可能として、例えばクリップ形式の処理部３を表示部２に装着して接続することにより電子ペーパーＥＰを構成するようにしてもよい。
【００１４】
処理部３には、後述するように表示部２を駆動する電圧を印加するための電極４、外部とデータ通信するための通信部（図示の例では無線部）５、電子データを読み書き自在に保持するメモリ６、ユーザの指先の静電気を検知することで接触したことを検出する静電スイッチを応用したセンサ７、センサ７による検出に応じて所定の処理を実行する制御部（ＣＰＵ）８、これら機能手段の駆動電力を供給するバッテリ９が設けられている。
なお、本例の光書き込み型電子ペーパーＥＰは、ＣＰＵ８による制御により、センサ７による接触履歴をメモリ６に記録し、当該記録履歴を通信部５により図外のコンピュータ（管理装置）へ送信して、ドキュメント利用状況の管理に供するようにしているが、このような通信機能ではなく、データを外部へ出力するための端子等の外部出力手段であってもよい。
【００１５】
例えば、光書き込み型電子ペーパーＥＰは、図５に示すように液晶パネル１０にドキュメントを画像として表示し、電極４に外部の電源から電圧を印加しながら光書き込み型電子ペーパーＥＰを液晶パネル１０に重ねて光を照射することにより、液晶パネル１０に表示させたドキュメント画像を表示部２に転写して記憶させることができる。
なお、電極４に電圧を印加しながら光書き込み型電子ペーパーＥＰに原稿等のドキュメントを印刷した用紙を重ねて光を照射することによっても、ドキュメント画像を表示部２に転写して記憶させることもでき、要は、光書き込み型電子ペーパーＥＰは電極４に電圧を印加することで投影された画像情報を表示部２に転写し、電極４に印加した電圧を除去した後も当該画像情報を表示状態で保持し続ける機能を有している。
【００１６】
光書き込み型電子ペーパーＥＰは、表示部２の断面構造を表す図７に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００１７】
そして、光書き込み型電子ペーパーＥＰは、表示部２の動作原理を表す図６に示すように、例えば画像書込み用の調光素子パネル（発光パネル）１０に転写するドキュメント画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極４に電圧を印加して新たな画像を投影することにより、表示部２に保持されているドキュメント画像を上書きすることもでき、このような上書き処理によっても幾度も再使用することができる。
したがって、光書き込み型電子ペーパーＥＰは、紙のように薄く柔軟である性質に加えて、画像の投影により転写されたドキュメント画像を無電源保持する性質があるので、あたかもプリンタや複写機に使用する紙の如く用いることができ、しかも、繰り返し再使用することができる記録媒体である。
【００１８】
図８（ａ）には自己書き込み型電子ペーパーＥＰを正面視して示し、同図（ｂ）には当該自己書き込み型電子ペーパーＥＰを側面視で示してある。図示の電子ペーパーＥＰは情報画像を表示保持する表示部１２と電子データの処理を司る処理部１３とを有しており、同図（ａ）には処理部１３に内蔵されている諸機能部も表してある。
自己書き込み型電子ペーパーＥＰは、光書き込み型電子ペーパー１と同様に、例えばＡ４版の用紙のような大きさのフレキシブルな薄型表示装置であり、大部分の面積を占める表示部１２の一片に処理部１３が設けられている。なお、光書き込み型電子ペーパー１と同様に、表示部１２の大きさは用途に応じた大きさのものとされ、また、表示部１２と処理部１３とを着脱可能として、例えばクリップ形式の処理部１３を表示部１２に装着して接続することにより電子ペーパーＥＰを構成するようにしてもよい。
【００１９】
処理部１３には、表示部１２を駆動するドライバ１４、外部とデータ通信するための通信部（図示の例では、無線部）１５、電子データを読み書き自在に保持するメモリ１６、ユーザが電子ペーパーを手に持って様々な方向に傾けることを検出するための加速度センサを応用した接触を検出するためのセンサ１７、センサ１７による検出に応じて所定の処理を実行する制御部（ＣＰＵ）１８、これら機能手段の駆動電力を供給するバッテリ１９、メモリに保持した履歴の出力指示等のユーザ操作入力を受け付けるボタン等の操作部１１が設けられている。
図示の自己書き込み型電子ペーパーＥＰは、メモリ１６に記録した履歴を外部の無線装置（図示せず）に無線部１５で無線送信したりドライバ１４の駆動により表示部１２に表示することが可能である、なお、履歴の出力機能としては、このような無線通信機能ではなく、データを外部へ出力するための端子等の外部出力手段であってもよい。
【００２０】
更に、自己書き込み型電子ペーパーＥＰは、光書き込み型電子ペーパーとは異なって、メモリ１６に保持したドキュメント電子データに基づいてドライバ１４が表示部１２にドキュメント画像を書き込んで表示し、また、操作部１１からの操作入力や後述するようにセンサ１７による接触検出に応じたＣＰＵ１８に処理で、表示するドキュメント画像を切り換え変更することができ、ドライバ１４の駆動電力を除去しても表示部１２にドキュメント画像を表示状態で保持し続ける機能を有している。
自己書き込み型電子ペーパーＥＰは、表示部１２の断面構造を表す図１０に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００２１】
そして、自己書き込み型電子ペーパーＥＰは、表示部１２の動作原理を表す図９に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、電子データに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによる画像情報が表示される。なお、異なる電子データに基づいてドライバ１４を動作させることにより、白色粒子３１と黒色粒子３２とのコントラストにより表示部１２に表示される画像情報を切り換えることができ、幾度も再使用することができる。
したがって、自己書き込み型電子ペーパーＥＰは、紙のように薄く柔軟である性質に加えて、表示部１２に表示した画像情報を無電源保持する性質があるので、あたかも紙の如く用いることができる記録媒体である。
【００２２】
なお、光書き込み型や自己書き込み型等の形式を問わず、無線部、メモリ、バッテリ等といった無線通信機能やメモリ機能部を電子ペーパーの表示部とは別の無線ＩＣタグとして構成し、当該無線ＩＣタグを電子ペーパーに取り付けることにより上記と同様な構成とするようにしてもよい。なお、無線ＩＣタグとした場合等において、バッテリはタグリーダーからの起電力を保持するコンデンサとするようにしてもよい。
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的にコンテンツ画像を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーの表示部としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００２３】
なお、光書き込み型電子ペーパー以外の外部の書き込み装置からの刺激で表示を書き換えることができる電子ペーパーとしては、ロイコ染料の発消色を利用した感熱リライタブルシート、または外部からの光は劇で発消色するフォトクロミック材料からなる表示素子、さらに外部からのイオン照射により配向の制御が可能なポリマ分散型ゲストホスト液晶シート、同じく、外部からのイオン照射により回転制御される表面が２色に塗り分けられた球体を内包した表示シート（Ｔｗｉｓｔｉｎｇ  Ｄｉｓｐｌａｙ）などを用いることもできる。また、自己書き換え型電子ペーパーとしても、強誘電液晶を主体とした表示素子やマイクロカプセル電気泳動素子、２色粒子回転素子などをＴＦＴ電極や、マトリクス電極基板で挟み込んだ構成の電子ペーパーを採用することもできる。
【００２４】
次に、本発明の実施例に係る電子ペーパーＥＰを説明する。
図１に示す電子ペーパーＥＰは、主に、ユーザの接触に応じて表示部２（１２）に表示保持するドキュメント画像の更新処理を行う例である。
本例の電子ペーパーＥＰは、少なくとも、ユーザ接触を検出するためのセンサ７（１７）と、表示部２（１２）に表示保持しているドキュメント画像の消去等の更新処理を行う更新処理手段としての制御部８（１８）とを備えていればよく、上記のような光書き込み型電子ペーパーと自己書き込み型電子ペーパーとのいずれでも実施することができる。なお、表示部１２に表示保持するドキュメント画像を他のドキュメント画像に切り換える更新処理を行う場合には、他のドキュメント電子データをメモリ１６に保持して更新処理手段１８により表示部１２の表示画像を書き換えることができる自己書き込み型電子ペーパーＥＰにより実施される。
【００２５】
ここで、図３にはセンサ７（１７）のは一例を示してあり、ユーザが手にとって触れたことを検知し易くするために電子ペーパーＥＰの表示部２（１２）を囲む縁部にセンサ７（１７）を設けている。なお、センサの配置はセンサの種類等に応じて種々な位置や態様で設計されるものであり、要は、ユーザが電子ペーパーＥＰに接触したことを検知し得るようにすればよい。
また、センサ７（１７）としては、ユーザが電子ペーパーＥＰを手にとって持ち上げたことによる変位を検出する加速度センサや水銀センサ、ユーザが電子ペーパーＥＰに手を触れたことを検出する静電スイッチを応用した接触センサや体温を感知する温度センサ、ユーザが電子ペーパーＥＰに手を触れたことを光の遮りにより検出する光学センサ等の種々な種類のセンサを採用することができ、要は、ユーザが電子ペーパーＥＰに接触したことを検知し得るものであればよい。
【００２６】
この電子ペーパーＥＰによると、表示部２（１２）に上記のようにしてドキュメント画像を無電源状態で表示保持させることができ、当該電子ペーパーＥＰをユーザが手に取る等して触れると、センサ７（１７）が当該接触を検知し、これに応じて更新処理手段８（１８）が表示部２（１２）に表示保持しているドキュメント画像に対して所定の更新処理を行う。
すなわち、例えば、ユーザが電子ペーパーＥＰに触れたことをセンサセンサ７（１７）が検出すると、例えば、更新処理手段８（１８）が表示部２（１２）に表示保持しているドキュメント画像を消去する更新処理を行う。また、特に、自己書き込み型電子ペーパーＥＰである場合には、ユーザが電子ペーパーＥＰに触れたことをセンサセンサ７（１７）が検出すると、例えば、更新処理手段１８がメモリ１６から他のドキュメント電子データを読み出してドライバ１４により、表示部１２に表示保持しているドキュメント画像を他のドキュメント画像に表示切換する更新処理を行うこともできる。
【００２７】
消去や表示切換等と言ったどのような更新処理を行うかは更新処理手段８（１８）への設定によるが、更新処理をセンサ検出のどのような条件で行うかも更新処理手段８（１８）への設定による。例えば、一回でもセンサ検出したときには表示保持しているドキュメント画像を消去する、ある期間やある回数で表示保持しているドキュメント画像を消去したり他のドキュメントに表示切換したりする設定とした場合にセンサ検出頻度の高いドキュメント画像は消去や表示切換の更新を行わない、ある期間で表示保持しているドキュメント画像を消去したり他のドキュメントに表示切換したりする設定とした場合にセンサ検出頻度の低いドキュメント画像は消去や表示切換の更新を早めに行う、センサ検出がある期間途絶えたときにはドキュメント画像を消去したり他のドキュメントに表示切換したりする。
したがって、電子ペーパーＥＰに表示保持したドキュメントの閲覧状況を、当該電子ペーパーＥＰへのユーザの接触で擬制して検知することができ、閲覧したので更新する又は閲覧していないので更新するといったようにユーザに利用状況に応じてドキュメント画像の更新処理を行うことができる。
【００２８】
図２に示す電子ペーパーＥＰは、主に、ドキュメントを閲覧したと擬制することができるユーザ接触の履歴を記録管理する例である。
本例の電子ペーパーＥＰは、少なくとも、ユーザ接触を検出するためのセンサ７（１７）と、センサ検出を履歴としてメモリ６（１６）に記録する履歴記録手段としての制御部８（１８）とを備えていればよく、上記のような光書き込み型電子ペーパーと自己書き込み型電子ペーパーとのいずれでも実施することができる。
なお、メモリ６（１６）に記録した履歴情報を無線部５（１５）によりコンピュータ等の外部管理装置へ出力して、ユーザによるドキュメントの利用状況の管理に供しているが、履歴情報の利用形態は任意であり、例えば、メモリ６（１６）に記録した履歴情報を表示部１２に表示することもでき、この場合には、履歴電子データにより履歴記録手段１８がドライバ１４を駆動して表示部１２に表示することができる自己書き込み型電子ペーパーＥＰにより実施される。
【００２９】
また、履歴記録手段８（１８）はセンサ検出がされる毎に当該検出がされたことをメモリ１（１６）に単純に記録するようにしてもよいが、タイマ機能４１を備えることにより検出履歴を時刻情報を伴って記録して時系列履歴として記録することができ、更に、カウンタ機能４２を備えることによりセンサ検出履歴を検出頻度として記録することもできる。
【００３０】
この電子ペーパーＥＰによると、表示部２（１２）に上記のようにしてドキュメント画像を無電源状態で表示保持させることができ、当該電子ペーパーＥＰをユーザが手に取る等して触れると、センサ７（１７）が当該接触を検知して、履歴記録手段８（１８）が当該センサ検出をメモリ６（１６）に記録する。
したがって、センサ７（１７）によりユーザの接触を検知することで電子ペーパーＥＰに表示保持されたドキュメントが閲覧されたことを擬似的に検知し、ユーザによる利用状況を履歴として記録することができる。
【図面の簡単な説明】
【００３１】
【図１】本発明の一実施例に係る電子ペーパーの機能構成図である。
【図２】本発明の他の一実施例に係る電子ペーパーの機能構成図である。
【図３】本発明の実施例に係るセンサの配置を説明する図である。
【図４】光書き込み型電子ペーパーを示す図である。
【図５】光書き込み型電子ペーパーの使用方法を説明する図である。
【図６】光書き込み型電子ペーパーの動作原理を説明する図である。
【図７】光書き込み型電子ペーパーの構造を説明する図である。
【図８】自己書き込み型電子ペーパーを示す図である。
【図９】自己書き込み型電子ペーパーの動作原理を説明する図である。
【図１０】自己書き込み型電子ペーパーの構造を説明する図である。
【符号の説明】
【００３２】
ＥＰ：電子ペーパー、  ２、１２：表示部、
５、１５：通信部、  ６、１６：メモリ、
７、１７：センサ、
８、１８：制御部（更新処理手段、履歴記録手段）、
【図１】
2005267188.tif 000003
【図２】
2005267188.tif 000004
【図３】
2005267188.tif 000005
【図４】
2005267188.tif 000006
【図５】
2005267188.tif 000007
【図６】
2005267188.tif 000008
【図７】
2005267188.tif 000009
【図８】
2005267188.tif 000010
【図９】
2005267188.tif 000011
【図１０】
2005267188.tif 000012